(57)【要約】【課題】  表示機器の表示部を用いた入力作業の時間を作業者ごとに管理することができる作業管理システム、作業者検知装置、入力検知装置、積算装置、報知装置、エリア別環境提供装置及び作業管理方法を提供する。【解決手段】  作業管理システム１は、コンピュータ１０の表示部１２を用いて複数の作業者７０ａ等が行う作業を管理する。作業管理システム１は、ＣＣＤカメラ２０と、入力検知装置３０とを備える。コンピュータ１０は、表示部１２と入力部１１とを備える。ＣＣＤカメラ２０は、作業者７０ａ等の存在を、別の作業者７０ａ等と区別して検知する。作業者７０ａ等は、複数の作業者７０ａ等のうちいずれかの作業者である。入力検知装置３０は、コンピュータ１０の入力部１１への入力作業の存在を検知する。【選択図】      図１
2005071169.tif 000002
【特許請求の範囲】
【請求項１】
表示部（１２）と入力部（１１）とを備えた表示機器（１０，１１０，３１０）の前記表示部（１２）を用いて複数の作業者（７０ａ，７０ｂ，・・・）が行う作業を管理する作業管理システム（１，１００，２００，３００）であって、
前記複数の作業者（７０ａ，７０ｂ，・・・）のうちいずれかの作業者である対象作業者（７０ａ，７０ｂ，・・・）の存在を、別の作業者（７０ａ，７０ｂ，・・・）と区別して検知する作業者検知装置（２０，１２０，２２０）と、
前記表示機器（１０，１１０，３１０）の前記入力部（１１）への入力作業の存在を検知する入力検知装置（３０）と、
を備えた、
作業管理システム（１，１００，２００，３００）。
【請求項２】
前記対象作業者（７０ａ，７０ｂ，・・・）の存在を前記作業者検知装置（２０，１２０，２２０）が検知していると同時に、前記入力作業の存在を前記入力検知装置（３０）が検知している時間を、前記作業者（７０ａ，７０ｂ，・・・）ごとに積算する積算装置（４０，１４０，２４０，３４０）をさらに備えた、
請求項１に記載の作業管理システム（１，１００，２００，３００）。
【請求項３】
前記時間は、前記入力部（１１）への前記対象作業者（７０ａ，７０ｂ，・・・）による前記入力作業の連続時間と、前記入力部（１１）への前記対象作業者（７０ａ，７０ｂ，・・・）による前記入力作業の累積時間とを、含む、
請求項２に記載の作業管理システム（１，１００，２００，３００）。
【請求項４】
前記積算装置（４０，１４０，２４０，３４０）は、前記時間を第１所定時間以上連続して積算しない場合、前記連続時間をリセットし、前記累積時間を前記第１所定時間だけ減らす、
請求項３に記載の作業管理システム（１，１００，２００，３００）。
【請求項５】
前記入力検知装置（３０）は、前記入力作業の作業内容を検知する、
請求項２から４のいずれかに記載の作業管理システム（１，１００，２００，３００）。
【請求項６】
前記作業者検知装置（２０，１２０，２２０）は、前記対象作業者（７０ａ，７０ｂ，・・・）の指紋、声紋、掌紋、網膜パターン及び虹彩の模様のすくなくとも１つにより、前記対象作業者（７０ａ，７０ｂ，・・・）と別の作業者（７０ａ，７０ｂ，・・・）とを区別して検知する、
請求項１から５のいずれかに記載の作業管理システム（１，１００，２００，３００）。
【請求項７】
前記積算装置（４０，１４０，２４０，３４０）が積算した前記時間が第２所定時間を超えた場合に報知を行う報知装置（５０，１５０，２５０，３５０）をさらに備えた、
請求項２から６のいずれかに記載の作業管理システム（１，１００，２００，３００）。
【請求項８】
前記報知装置（５０，１５０，２５０，３５０）は、前記連続時間と前記累積時間とのそれぞれについて報知を行う、
請求項７に記載の作業管理システム（１，１００，２００，３００）。
【請求項９】
前記報知装置（５０，１５０，２５０，３５０）は、前記表示機器（１０，１１０，３１０）の前記表示部（１２）にメッセージを表示することにより、報知を行う、
請求項７又は８に記載の作業管理システム（１，１００，２００，３００）。
【請求項１０】
前記報知装置（５０，１５０，２５０，３５０）は、前記表示機器（１０，１１０，３１０）付近を照らす照明装置（１５０）であり、前記表示機器（１０，１１０，３１０）付近の照明の状態を変えることにより、報知を行う、
請求項７から９のいずれかに記載の作業管理システム（１，１００，２００，３００）。
【請求項１１】
前記報知装置（５０，１５０，２５０，３５０）は、前記表示機器（１０，１１０，３１０）付近のエリア（６０）に環境を提供するエリア別環境提供装置（５０）であり、前記表示機器（１０，１１０，３１０）付近のエリア（６０）における環境を変えるように環境を提供することにより、報知を行う、
請求項７から１０のいずれかに記載の作業管理システム（１，１００，２００，３００）。
【請求項１２】
前記報知装置（５０，１５０，２５０，３５０）は、前記表示機器（１０，１１０，３１０）の使用者に対して警報を出す警報装置（２５０）であり、前記警報を出すことにより、報知を行う、
請求項７から１１のいずれかに記載の作業管理システム（１，１００，２００，３００）。
【請求項１３】
表示部（１２）と入力部（１１）とを備えた表示機器（１０，１１０，３１０）の前記表示部（１２）を用いて複数の作業者（７０ａ，７０ｂ，・・・）が行う作業を管理するために用いられる作業者検知装置（２０，１２０，２２０）であって、
前記複数の作業者（７０ａ，７０ｂ，・・・）のうちいずれかの作業者である対象作業者（７０ａ，７０ｂ，・・・）の存在を、別の作業者（７０ａ，７０ｂ，・・・）と区別して検知する検知部（２１，１２１，２２１）と、
前記検知部（２１，１２１，２２１）が前記対象作業者（７０ａ，７０ｂ，・・・）の存在を検知していると同時に、前記表示機器（１０，１１０，３１０）の前記入力部（１１）への入力作業の存在を検知する入力検知装置（３０）が前記入力作業を検知している時間を、前記作業者（７０ａ，７０ｂ，・・・）ごとに積算する積算装置（４０，１４０，２４０，３４０）に、前記対象作業者（７０ａ，７０ｂ，・・・）の存在を検知していることを通知する通知部（２２）と、
を備えた、
作業者検知装置（２０，１２０，２２０）。
【請求項１４】
表示部（１２）と入力部（１１）とを備えた表示機器（１０，１１０，３１０）の前記表示部（１２）を用いて複数の作業者（７０ａ，７０ｂ，・・・）が行う作業を管理するために用いられる入力検知装置（３０）であって、
前記表示機器（１０，１１０，３１０）の前記入力部（１１）への入力作業の存在を検知する検知部（３１）と、
前記検知部（３１）が前記入力作業の存在を検知していると同時に、前記複数の作業者（７０ａ，７０ｂ，・・・）のうちいずれかの作業者である対象作業者（７０ａ，７０ｂ，・・・）の存在を別の作業者（７０ａ，７０ｂ，・・・）と区別して検知する作業者検知装置（２０，１２０，２２０）が前記対象作業者（７０ａ，７０ｂ，・・・）の存在を検知している時間を、前記作業者（７０ａ，７０ｂ，・・・）ごとに積算する積算装置（４０，１４０，２４０，３４０）に、前記入力作業の存在を検知していることを通知する通知部（３２）と、
を備えた、
入力検知装置（３０）。
【請求項１５】
表示部（１２）と入力部（１１）とを備えた表示機器（１０，１１０，３１０）の前記表示部（１２）を用いて複数の作業者（７０ａ，７０ｂ，・・・）が行う作業を管理するために用いられる積算装置（４０，１４０，２４０，３４０）であって、
前記複数の作業者（７０ａ，７０ｂ，・・・）のうちいずれかの作業者である対象作業者（７０ａ，７０ｂ，・・・）の存在を別の作業者（７０ａ，７０ｂ，・・・）と区別して検知する作業者検知装置（２０，１２０，２２０）が前記対象作業者（７０ａ，７０ｂ，・・・）の存在を検知している旨の情報である第１情報を、前記作業者検知装置（２０，１２０，２２０）から受け取る第１受取部（４１）と、
前記表示機器（１０，１１０，３１０）の前記入力部（１１）への入力作業の存在を検知する入力検知装置（３０）が前記入力作業の存在を検知している旨の情報である第２情報を、前記入力検知装置（３０）から受け取る第２受取部（４２）と、
前記第１受取部が前記第１情報を受け取っていると同時に、前記第２受取部が前記第２情報を受け取っている時間を、前記作業者（７０ａ，７０ｂ，・・・）ごとに積算する積算部（４３，１４３，２４３，３４３）と、
を備えた、
積算装置（４０，１４０，２４０，３４０）。
【請求項１６】
表示部（１２）と入力部（１１）とを備えた表示機器（１０，１１０，３１０）の前記表示部（１２）を用いて複数の作業者（７０ａ，７０ｂ，・・・）が行う作業を管理するために用いられる報知装置（５０，１５０，２５０，３５０）であって、
前記複数の作業者（７０ａ，７０ｂ，・・・）のうちいずれかの作業者である対象作業者（７０ａ，７０ｂ，・・・）の存在を別の作業者（７０ａ，７０ｂ，・・・）と区別して検知する作業者検知装置（２０，１２０，２２０）が前記対象作業者（７０ａ，７０ｂ，・・・）の存在を検知していると同時に、前記表示機器（１０，１１０，３１０）の前記入力部（１１）への入力作業の存在を検知する入力検知装置（３０）が前記入力作業の存在を検知している時間を、前記作業者（７０ａ，７０ｂ，・・・）ごとに積算する積算装置（４０，１４０，２４０，３４０）から、前記積算装置（４０，１４０，２４０，３４０）が積算した前記時間に基づいた情報を、受け取る受取部（５１）と、
前記時間が所定時間を超えた場合に報知を行う報知部（５２，１５２，２５２，３５２）と、
を備えた、
報知装置（５０，１５０，２５０，３５０）。
【請求項１７】
表示部（１２）と入力部（１１）とを備えた複数の表示機器（１０，１１０，３１０）付近のエリア（６０）それぞれに対して環境を提供するエリア別環境提供装置（５０）であって、
前記表示機器（１０，１１０，３１０）の前記表示部（１２）を用いて作業を行う複数の作業者（７０ａ，７０ｂ，・・・）のうちいずれかの作業者である対象作業者（７０ａ，７０ｂ，・・・）の存在を別の作業者（７０ａ，７０ｂ，・・・）と区別して検知する作業者検知装置（２０，１２０，２２０）が前記対象作業者（７０ａ，７０ｂ，・・・）の存在を検知していると同時に、前記表示機器（１０，１１０，３１０）の前記入力部（１１）への入力作業の存在を検知する入力検知装置（３０）が前記入力作業の存在を検知している時間を、前記作業者（７０ａ，７０ｂ，・・・）ごとに積算する積算装置（４０，１４０，２４０，３４０）から、前記積算装置（４０，１４０，２４０，３４０）が積算した前記時間に基づいた情報を、受け取る受取部（５１）と、
前記時間が所定時間を超えた場合に、前記表示機器（１０，１１０，３１０）付近のエリア（６０）における環境を変えるように環境を提供することにより、報知を行う報知部（５２）と、
を備えた、
エリア別環境提供装置（５０）。
【請求項１８】
表示部（１２）と入力部（１１）とを備えた表示機器（１０，１１０，３１０）の前記表示部（１２）を用いて複数の作業者（７０ａ，７０ｂ，・・・）が行う作業が管理される作業管理方法であって、
前記複数の作業者（７０ａ，７０ｂ，・・・）のうちいずれかの作業者である対象作業者（７０ａ，７０ｂ，・・・）の存在が、別の作業者（７０ａ，７０ｂ，・・・）と区別して検知される作業者検知ステップと、
前記表示機器（１０，１１０，３１０）の前記入力部（１１）への入力作業の存在が検知される入力検知ステップと、
を備えた、
作業管理方法。
【発明の詳細な説明】
【技術分野】
【０００１】
本発明は、作業管理システム、作業者検知装置、入力検知装置、積算装置、報知装置、エリア別環境提供装置及び作業管理方法に関する。
【背景技術】
【０００２】
従来から、表示部と入力部とを備えた表示機器の表示部を用いて作業者が行う作業を管理することが行われている。そのような技術として、作業者の存在をセンサにより検知し、作業者による作業の累積時間を積算する技術が提案されている（例えば、特許文献１参照。）。また、作業者の存在を表示機器の入力部への入力作業により検知し、作業者による作業の累積時間を積算する技術が提案されている（例えば、特許文献２参照。）。
【特許文献１】特開平５−１６６０２６  （第２−５頁、第２図）
【特許文献２】特開２００２−３６６１２９  （第２，４頁、第２図）
【発明の開示】
【発明が解決しようとする課題】
【０００３】
しかし、特許文献１の技術は、作業者が表示機器の前にいるが表示機器の表示部を用いて作業を行っていない場合にも、作業者による作業の累積時間を積算してしまうおそれがある。また、特許文献２の技術は、表示機器の表示部を用いた作業を作業者が中断しているときに別の作業者が作業を行った場合にも、作業者による作業の累積時間を積算してしまうおそれがある。
【０００４】
そこで、本発明の課題は、表示機器の表示部を用いた入力作業の時間を作業者ごとに管理することができる作業管理システム、作業者検知装置、入力検知装置、積算装置、報知装置、エリア別環境提供装置及び作業管理方法を提供することにある。
【課題を解決するための手段】
【０００５】
請求項１に係る作業管理システムは、表示機器の表示部を用いて複数の作業者が行う作業を管理する作業管理システムであって、作業者検知装置と、入力検知装置とを備える。表示機器は、表示部と入力部とを備える。作業者検知装置は、対象作業者の存在を、別の作業者と区別して検知する。対象作業者は、複数の作業者のうちいずれかの作業者である。入力検知装置は、表示機器の入力部への入力作業の存在を検知する。
【０００６】
この作業管理システムでは、作業者検知装置が、対象作業者の存在を、別の作業者と区別して検知する。入力検知装置が、表示機器の入力部への入力作業の存在を検知する。
したがって、対象作業者を別の作業者と区別して検知するとともに入力部への入力作業の存在を検知するので、対象作業者が存在していると同時に入力部への入力作業が存在している時間を作業者ごとに積算することができる。このため、表示機器の表示部を用いた入力作業の時間を作業者ごとに管理することができる。
【０００７】
請求項２に係る作業管理システムは、請求項１に記載の作業管理システムであって、積算装置をさらに備える。積算装置は、対象作業者の存在を作業者検知装置が検知していると同時に、入力作業の存在を入力検知装置が検知している時間を、作業者ごとに積算する。
この作業管理システムでは、作業者検知装置が、対象作業者の存在を、別の作業者と区別して検知する。入力検知装置が、表示機器の入力部への入力作業の存在を検知する。作業者検知装置が、対象作業者の存在を検知していることを、積算装置に通知することができる。入力検知装置が、入力作業の存在を検知していることを、積算装置に通知することができる。積算装置が、対象作業者の存在を作業者検知装置が検知していると同時に、入力作業の存在を入力検知装置が検知している時間を、作業者ごとに積算する。
【０００８】
したがって、対象作業者を別の作業者と区別して検知すると同時に入力部への入力作業の存在を検知している時間を積算するので、表示機器の表示部を用いた入力作業の時間を作業者ごとに管理することができる。
請求項３に係る作業管理システムは、請求項２に記載の作業管理システムであって、時間は、入力部への対象作業者による入力作業の連続時間と、入力部への対象作業者による入力作業の累積時間とを、含む。
【０００９】
この作業管理システムでは、時間は、入力部への対象作業者による入力作業の連続時間と、入力部への対象作業者による入力作業の累積時間とを、含む。積算装置が、対象作業者の存在を作業者検知装置が検知していると同時に、入力部への入力作業の存在を入力検知装置が検知している時間を、作業者ごとに積算する。積算装置が、入力部への対象作業者による入力作業の連続時間と、入力部への対象作業者による入力作業の累積時間とを、別々に積算することができる。
【００１０】
したがって、連続時間と累積時間とを別々に積算することができるので、連続時間と累積時間とで管理すべき基準が異なる場合に、両者をそれぞれ管理することができる。
請求項４に係る作業管理システムは、請求項３に記載の作業管理システムであって、積算装置は、時間を第１所定時間以上連続して積算しない場合、連続時間をリセットする。積算装置は、時間を第１所定時間以上連続して積算しない場合、累積時間を第１所定時間だけ減らす。
【００１１】
この作業管理システムでは、時間は、入力部への対象作業者による入力作業の連続時間と、入力部への対象作業者による入力作業の累積時間とを、含む。積算装置が、対象作業者の存在を作業者検知装置が検知していると同時に、入力部への入力作業の存在を入力検知装置が検知している時間を、作業者ごとに積算する。積算装置が、入力部への対象作業者による入力作業の連続時間と、入力部への対象作業者による入力作業の累積時間とを、別々に積算することができる。積算装置が、時間を第１所定時間以上連続して積算しない場合、連続時間をリセットする。積算装置が、時間を第１所定時間以上連続して積算しない場合、累積時間を第１所定時間だけ減らす。
【００１２】
したがって、入力作業が第１所定時間以上連続して中断された場合に連続時間をリセットするので、連続していない時間を連続時間として積算することを低減することができる。また、入力作業が第１所定時間以上連続して中断された場合に累積時間を第１所定時間だけ減らすので、作業を行っていない時間を累積時間として積算することを低減することができる。このため、表示機器の表示部を用いて行われている入力作業の時間を正確に管理することができる。
【００１３】
請求項５に係る作業管理システムは、請求項２から４のいずれかに記載の作業管理システムであって、入力検知装置は、入力作業の作業内容を検知する。
この作業管理システムでは、作業者検知装置が、対象作業者の存在を、別の作業者と区別して検知する。入力検知装置が、表示機器の入力部への入力作業の存在と、入力作業の作業内容とを、検知する。作業者検知装置が、対象作業者の存在を検知していることを、積算装置に通知することができる。入力検知装置が、入力作業の存在を検知していることと、入力作業の作業内容とを、積算装置に通知することができる。積算装置が、対象作業者の存在を作業者検知装置が検知していると同時に、入力部への入力作業の存在を入力検知装置が検知している時間を、作業者ごとに積算する。
【００１４】
したがって、作業内容により管理すべき時間の基準が異なる場合に、時間を作業内容に応じて管理することができる。
なお、作業内容は、例えば、作業区分（以下、厚生労働省労働基準局から平成１４年４月５日に発表された「新しい『ＶＤＴ作業における労働衛生管理のためのガイドライン』」に定める作業区分を示す。）Ａの単純入力型作業、作業区分Ａの拘束型作業、作業区分Ｂの単純入力型作業、作業区分Ｂの拘束型作業、作業区分Ｂの対話型作業、作業区分Ｂの技術型作業、作業区分Ｂの監視型作業、作業区分Ｂのその他の型作業、作業区分Ｃの単純入力型作業、作業区分Ｃの拘束型作業、作業区分Ｃの対話型作業、作業区分Ｃの技術型作業、作業区分Ｃの監視型作業及び作業区分Ｃのその他の型作業の少なくとも１つを含む。
【００１５】
請求項６に係る作業管理システムは、請求項１から５のいずれかに記載の作業管理システムであって、作業者検知装置は、対象作業者の指紋、声紋、掌紋、網膜パターン及び虹彩の模様のすくなくとも１つにより、対象作業者と別の作業者とを区別して検知する。
この作業管理システムでは、作業者検知装置が、対象作業者の指紋、声紋、掌紋、網膜パターン及び虹彩の模様のすくなくとも１つにより、対象作業者の存在を、別の作業者と区別して検知する。入力検知装置が、表示機器の入力部への入力作業の存在を、検知する。対象作業者を別の作業者と区別して検知するとともに入力部への入力作業の存在を検知するので、対象作業者が存在していると同時に入力部への入力作業が存在している時間を作業者ごとに積算することができる。
【００１６】
したがって、パスワードによる管理を行わなくても、表示機器の表示部を用いた入力作業の時間を作業者ごとに管理することができる。また、パスワードが盗まれた場合でも、表示機器の表示部を用いた入力作業の時間を作業者ごとに管理することができる。さらに、複数の作業者で共通のパスワードを使用しているような場合でも、表示機器の表示部を用いた入力作業の時間を作業者ごとに管理することができる。
【００１７】
請求項７に係る作業管理システムは、請求項２から６のいずれかに記載の作業管理システムであって、報知装置をさらに備える。報知装置は、積算装置が積算した時間が第２所定時間を超えた場合に報知を行う。
この作業管理システムでは、積算装置が、対象作業者の存在を作業者検知装置が検知していると同時に、入力部への入力作業の存在を入力検知装置が検知している時間を、作業者ごとに積算する。積算装置が、積算した時間を報知装置に受け渡すことができる。報知装置が、積算装置が積算した時間が第２所定時間を超えた場合に報知を行う。
【００１８】
したがって、報知装置が報知を行うので、積算装置が積算した時間が第２所定時間を超えた場合に、作業者に休憩を促すことができる。
請求項８に係る作業管理システムは、請求項７に記載の作業管理システムであって、報知装置は、連続時間と累積時間とのそれぞれについて報知を行う。
この作業管理システムでは、報知装置が、積算装置が積算した時間が第２所定時間を超えた場合に報知を行う。報知装置が、連続時間と累積時間とのそれぞれについて報知を行う。
【００１９】
したがって、連続時間と累積時間とで管理すべき基準が異なる場合でも、それぞれ報知することができる。このため、連続時間と累積時間とで管理すべき基準が異なる場合でも、両者をそれぞれ管理することができる。
請求項９に係る作業管理システムは、請求項７又は８に記載の作業管理システムであって、報知装置は、表示機器の表示部にメッセージを表示することにより、報知を行う。
【００２０】
この作業管理システムでは、報知装置が、積算装置が積算した時間が第２所定時間を超えた場合に報知を行う。報知装置が、表示機器の表示部にメッセージを表示することにより、報知を行う。
したがって、表示機器の表示部を用いて作業を行っている作業者に、報知装置による報知を容易に認識してもらうことができる。
【００２１】
請求項１０に係る作業管理システムは、請求項７から９のいずれかに記載の作業管理システムであって、報知装置は、照明装置である。照明装置は、表示機器付近を照らす。報知装置は、表示機器付近の照明の状態を変えることにより、報知を行う。
この作業管理システムでは、報知装置が、照明装置である。報知装置が、積算装置が積算した時間が第２所定時間を超えた場合に報知を行う。報知装置が、表示機器付近の照明の状態を変えることにより、報知を行う。
【００２２】
したがって、表示機器の表示部を用いて作業を行っている作業者に、報知装置による報知を、作業を中断させることなく認識してもらうことができる。
なお、照明の状態を変えることは、例えば、照明の明るさを暗くすることであってもいいし、照明の明るさを明るくすることであってもいいし、照明の色を変えることであってもいいし、照明の向きを変えることであってもいいし、照明を点滅させることであってもいいし、照明を消すことであってもいいし、照明を点灯させることであってもいい。
【００２３】
請求項１１に係る作業管理システムは、請求項７から１０のいずれかに記載の作業管理システムであって、報知装置は、エリア別環境提供装置である。エリア別環境提供装置は、表示機器付近のエリアに環境を提供する。報知装置は、表示機器付近のエリアにおける環境を変えるように環境を提供することにより、報知を行う。
この作業管理システムでは、報知装置が、積算装置が積算した時間が第２所定時間を超えた場合に報知を行う。報知装置が、エリア別環境提供装置である。報知装置が、表示機器付近のエリアにおける環境を変えるように環境を提供することにより、報知を行う。
【００２４】
したがって、表示機器の表示部を用いて作業を行っている作業者に、報知装置による報知を、作業を中断させることなく認識してもらうことができる。
なお、環境は、例えば、温度であってもいいし、湿度であってもいいし、気流であってもいいし、清浄度であってもいい。
請求項１２に係る作業管理システムは、請求項７から１１のいずれかに記載の作業管理システムであって、報知装置は、警報装置である。警報装置は、表示機器の使用者に対して警報を出す。報知装置は、警報を出すことにより、報知を行う。
【００２５】
この作業管理システムでは、報知装置が、積算装置が積算した時間が第２所定時間を超えた場合に報知を行う。報知装置が、警報装置である。報知装置が、警報を出すことにより、報知を行う。
したがって、表示機器の表示部を用いて作業を行っている作業者に、報知装置による報知を、作業を中断させることなく認識してもらうことができる。
【００２６】
なお、警報は、例えば、静かなものが望ましいが、作業を中断させることにならなければある程度うるさいものであってもよい。
請求項１３に係る作業者検知装置は、表示機器の表示部を用いて複数の作業者が行う作業を管理するために用いられる作業者検知装置であって、検知部と、通知部とを備える。表示機器は、表示部と入力部とを備える。検知部は、対象作業者の存在を、別の作業者と区別して検知する。対象作業者は、複数の作業者のうちいずれかの作業者である。通知部は、積算装置に、対象作業者の存在を検知していることを通知する。積算装置は、検知部が対象作業者の存在を検知していると同時に、入力検知装置が入力作業を検知している時間を、作業者ごとに積算する。入力検知装置は、表示機器の入力部への入力作業の存在を検知する。
【００２７】
この作業者検知装置では、検知部が、対象作業者の存在を別の作業者と区別して検知する。通知部が、積算装置に、対象作業者の存在を検知していることを通知する。これにより、入力作業の存在を検知していることが入力検知装置から積算装置に通知されれば、積算装置が、検知部が対象作業者の存在を検知していると同時に、入力検知装置が入力部への入力作業を検知している時間を、作業者ごとに積算するようにすることができる。
【００２８】
したがって、対象作業者を別の作業者と区別して検知すると同時に入力部への入力作業の存在を検知している時間を積算することができる。このため、表示機器の表示部を用いた入力作業の時間を作業者ごとに管理することができる。
請求項１４に係る入力検知装置は、表示機器の表示部を用いて複数の作業者が行う作業を管理するために用いられる入力検知装置であって、検知部と、通知部とを備える。検知部は、表示機器の入力部への入力作業の存在を検知する。通知部は、積算装置に、入力作業の存在を検知していることを通知する。対象作業者は、複数の作業者のうちいずれかの作業者である。作業者検知装置は、対象作業者の存在を別の作業者と区別して検知する。積算装置は、検知部が入力作業の存在を検知していると同時に、作業者検知装置が対象作業者の存在を検知している時間を、作業者ごとに積算する。
【００２９】
この入力検知装置では、検知部が、表示機器の入力部への入力作業の存在を検知する。通知部が、積算装置に、入力作業の存在を検知していることを通知する。これにより、対象作業者の存在を別の作業者と区別して検知していることが作業者検知装置から積算装置に通知されれば、積算装置が、検知部が入力部への入力作業を検知していると同時に、作業者検知装置が対象作業者の存在を検知している時間を、作業者ごとに積算するようにすることができる。
【００３０】
したがって、対象作業者を別の作業者と区別して検知すると同時に入力部への入力作業の存在を検知している時間を積算することができるので、表示機器の表示部を用いた入力作業の時間を作業者ごとに管理することができる。
請求項１５に係る積算装置は、表示機器の表示部を用いて複数の作業者が行う作業を管理するために用いられる積算装置であって、第１受取部と、第２受取部と、積算部とを備える。表示機器は、表示部と入力部とを備える。第１受取部は、第１情報を作業者検知装置から受け取る。第１情報は、作業者検知装置が対象作業者の存在を検知している旨の情報である。作業者検知装置は、対象作業者の存在を別の作業者と区別して検知する。対象作業者は、複数の作業者のうちいずれかの作業者である。第２受取部は、第２情報を入力検知装置から受け取る。第２情報は、入力検知装置が入力作業を検知している旨の情報である。入力検知装置は、表示機器の入力部への入力作業の存在を検知する。積算部は、第１受取部が第１情報を受け取っていると同時に、第２受取部が第２情報を受け取っている時間を、作業者ごとに積算する。
【００３１】
この積算装置では、第１受取部が、第１情報を作業者検知装置から受け取る。第２受取部が、第２情報を入力検知装置から受け取る。積算部が、第１受取部が第１情報を受け取っていると同時に、第２受取部が第２情報を受け取っている時間を、作業者ごとに積算する。
したがって、対象作業者を別の作業者と区別して検知すると同時に入力部への入力作業の存在を検知している時間を積算するので、表示機器の表示部を用いた入力作業の時間を作業者ごとに管理することができる。
【００３２】
請求項１６に係る報知装置は、表示機器の表示部を用いて複数の作業者が行う作業を管理するために用いられる報知装置であって、受取部と、報知部とを備える。表示機器は、表示部と入力部とを備える。受取部は、積算装置から、積算装置が積算した時間に基づいた情報を、受け取る。積算装置は、作業者検知装置が対象作業者の存在を検知していると同時に、入力検知装置が入力作業の存在を検知している時間を、作業者ごとに積算する。作業者検知装置は、対象作業者の存在を別の作業者と区別して検知する。対象作業者は、複数の作業者のうちいずれかの作業者である。入力検知装置は、表示機器の入力部への入力作業の存在を検知する。報知部は、時間が所定時間を超えた場合に報知を行う。
【００３３】
この報知装置では、受取部が、作業者検知装置が対象作業者の存在を検知していると同時に、入力検知装置が入力部への入力作業の存在を検知している時間を、作業者ごとに積算する積算装置から、積算装置が積算した時間に基づいた情報を、受け取る。報知部が、積算装置が積算した時間が所定時間を超えた場合に報知を行う。
したがって、対象作業者を別の作業者と区別して検知すると同時に入力部への入力作業の存在を検知している時間を積算して報知するので、表示機器の表示部を用いた入力作業の時間を作業者ごとに管理することができる。
【００３４】
請求項１７に係るエリア別環境提供装置は、複数の表示機器付近のエリアそれぞれに対して環境を提供するエリア別環境提供装置であって、受取部と、報知部とを備える。表示機器は、表示部と入力部とを備える。受取部は、積算装置から、積算装置が積算した時間に基づいた情報を、受け取る。積算装置は、作業者検知装置が対象作業者の存在を検知していると同時に、入力検知装置が入力作業の存在を検知している時間を、作業者ごとに積算する。作業者検知装置は、対象作業者の存在を別の作業者と区別して検知する。対象作業者は、表示機器の表示部を用いて作業を行う複数の作業者のうちいずれかの作業者である。入力検知装置は、表示機器の入力部への入力作業の存在を検知する。報知部は、時間が所定時間を超えた場合に、表示機器付近のエリアにおける環境を変えるように環境を提供することにより、報知を行う。
【００３５】
このエリア別環境提供装置では、受取部が、作業者検知装置が対象作業者の存在を検知していると同時に、入力検知装置が入力作業の存在を検知している時間を、作業者ごとに積算する積算装置から、積算装置が積算した時間に基づいた情報を、受け取る。報知部が、時間が所定時間を超えた場合に、表示機器付近のエリアにおける環境を変えるように環境を提供することにより、報知を行う。
【００３６】
したがって、対象作業者を別の作業者と区別して検知すると同時に入力作業の存在を検知している時間を積算して報知するので、表示機器の表示部を用いた入力作業の時間を作業者ごとに管理することができる。
請求項１８に係る作業管理方法は、表示機器の表示部を用いて複数の作業者が行う作業が管理される作業管理方法であって、作業者検知ステップと、入力検知ステップとを備える。表示機器は、表示部と入力部とを備える。作業者検知ステップでは、対象作業者の存在が、別の作業者と区別して検知される。対象作業者は、複数の作業者のうちいずれかの作業者である。入力検知ステップでは、表示機器の入力部への入力作業の存在が検知される。
【００３７】
この作業管理方法では、作業者検知ステップにおいて、対象作業者の存在が、別の作業者と区別して検知される。入力検知ステップにおいて、表示機器の入力部への入力作業の存在が検知される。
したがって、対象作業者を別の作業者と区別して検知するとともに入力作業の存在を検知するので、対象作業者が存在していると同時に入力作業が存在する時間を作業者ごとに積算することができる。このため、表示機器の表示部を用いた入力作業の時間を作業者ごとに管理することができる。
【発明の効果】
【００３８】
請求項１に係る作業管理システムでは、対象作業者を別の作業者と区別して検知するとともに入力部への入力作業の存在を検知するので、対象作業者が存在していると同時に入力部への入力作業が存在している時間を作業者ごとに積算することができる。このため、表示機器の表示部を用いた入力作業の時間を作業者ごとに管理することができる。
請求項２に係る作業管理システムでは、対象作業者を別の作業者と区別して検知すると同時に入力部への入力作業の存在を検知している時間を積算するので、表示機器の表示部を用いた入力作業の時間を作業者ごとに管理することができる。
【００３９】
請求項３に係る作業管理システムでは、連続時間と累積時間とを別々に積算することができるので、連続時間と累積時間とで管理すべき基準が異なる場合に、両者をそれぞれ管理することができる。
請求項４に係る作業管理システムでは、入力作業が第１所定時間以上連続して中断された場合に連続時間をリセットするので、連続していない時間を連続時間として積算することを低減することができる。また、入力作業が第１所定時間以上連続して中断された場合に累積時間を第１所定時間だけ減らすので、作業を行っていない時間を累積時間として積算することを低減することができる。このため、表示機器の表示部を用いて行われている入力作業の時間を正確に管理することができる。
【００４０】
請求項５に係る作業管理システムでは、作業内容により管理すべき時間の基準が異なる場合に、時間を作業内容に応じて管理することができる。
請求項６に係る作業管理システムでは、パスワードによる管理を行わなくても、表示機器の表示部を用いた入力作業の時間を作業者ごとに管理することができる。また、パスワードが盗まれた場合でも、表示機器の表示部を用いた入力作業の時間を作業者ごとに管理することができる。さらに、複数の作業者で共通のパスワードを使用しているような場合でも、表示機器の表示部を用いた入力作業の時間を作業者ごとに管理することができる。
【００４１】
請求項７に係る作業管理システムでは、報知装置が報知を行うので、積算装置が積算した時間が第２所定時間を超えた場合に、作業者に休憩を促すことができる。
請求項８に係る作業管理システムでは、連続時間と累積時間とで管理すべき基準が異なる場合でも、それぞれ報知することができる。このため、連続時間と累積時間とで管理すべき基準が異なる場合でも、両者をそれぞれ管理することができる。
【００４２】
請求項９に係る作業管理システムでは、表示機器の表示部を用いて作業を行っている作業者に、報知装置による報知を容易に認識してもらうことができる。
請求項１０に係る作業管理システムでは、表示機器の表示部を用いて作業を行っている作業者に、報知装置による報知を、作業を中断させることなく認識してもらうことができる。
【００４３】
請求項１１に係る作業管理システムでは、表示機器の表示部を用いて作業を行っている作業者に、報知装置による報知を、作業を中断させることなく認識してもらうことができる。
請求項１２に係る作業管理システムでは、表示機器の表示部を用いて作業を行っている作業者に、報知装置による報知を、作業を中断させることなく認識してもらうことができる。
【００４４】
請求項１３に係る作業者検知装置では、対象作業者を別の作業者と区別して検知すると同時に入力部への入力作業の存在を検知している時間を積算することができる。このため、表示機器の表示部を用いた入力作業の時間を作業者ごとに管理することができる。
請求項１４に係る入力検知装置では、対象作業者を別の作業者と区別して検知すると同時に入力部への入力作業の存在を検知している時間を積算することができるので、表示機器の表示部を用いた入力作業の時間を作業者ごとに管理することができる。
【００４５】
請求項１５に係る積算装置では、対象作業者を別の作業者と区別して検知すると同時に入力部への入力作業の存在を検知している時間を積算するので、表示機器の表示部を用いた入力作業の時間を作業者ごとに管理することができる。
請求項１６に係る報知装置では、対象作業者を別の作業者と区別して検知すると同時に入力部への入力作業の存在を検知している時間を積算して報知するので、表示機器の表示部を用いた入力作業の時間を作業者ごとに管理することができる。
【００４６】
請求項１７に係るエリア別環境提供装置では、対象作業者を別の作業者と区別して検知すると同時に入力作業の存在を検知している時間を積算して報知するので、表示機器の表示部を用いた入力作業の時間を作業者ごとに管理することができる。
請求項１８に係る作業管理方法では、対象作業者を別の作業者と区別して検知するとともに入力作業の存在を検知するので、対象作業者が存在していると同時に入力作業が存在する時間を作業者ごとに積算することができる。このため、表示機器の表示部を用いた入力作業の時間を作業者ごとに管理することができる。
【発明を実施するための最良の形態】
【００４７】
［第１実施形態］
本発明の第１実施形態に係る作業管理システム１の概念図を図１に示す。また、本発明の第１実施形態に係る作業管理システム１の各構成要素の構成図を図２に示す。図１に示す作業管理システム１は、主としてコンピュータ１０の表示部１２を用いて複数の作業者７０ａ，７０ｂ，・・・が行う作業を管理するためのシステムである。
【００４８】
＜作業管理システム１の全体構成＞
図１に示す作業管理システム１は、図２に示すように、主としてコンピュータ１０，ＣＣＤカメラ２０，積算装置４０及びパーソナル空調機５０を備える。
図１に示すように、パーソナル空調機５０は、デスク型であり、パーソナル空調機５０の作業台上にコンピュータ１０が置かれる。図１に示す作業者７０ａ，７０ｂ，・・・（以下、７０ａ等とする）は、パーソナル空調機５０の前に座り、図２に示すコンピュータ１０の表示部１２を用いて作業を行う。図１に示すＣＣＤカメラ２０は、作業者７０ａ等の網膜パターンを認識可能な場所に置かれる。積算装置４０は、パーソナル空調機５０の作業台下部に設置される。
【００４９】
＜コンピュータ１０の構成＞
図２に示すように、コンピュータ１０は、主として入力部１１，制御部１３，記憶部１４，表示部１２及び入力検知装置３０を備える。
図１に示す作業者７０ａ等により、図２に示す入力部１１への入力作業がなされる。入力検知装置３０は、入力作業の情報を入力部１１から受け取り、表示機器の入力部１１への入力作業の存在を検知する。そして、入力検知装置３０は、入力作業の存在を検知している旨の情報を、積算装置４０に通知する。制御部１３は、入力作業の情報を入力部１１から受け取り、処理を行う。処理後の情報は、記憶部１４で記憶されたり、表示部１２で表示されたりする。
【００５０】
＜ＣＣＤカメラ２０の構成＞
図２に示すように、ＣＣＤカメラ２０は、主として検知部２１と通知部２２とを備える。
検知部２１は、図１に示す作業者７０ａ等の網膜パターンを認識して、作業者７０ａ等の存在を別の作業者７０ａ等と区別して検知する。図２に示す通知部２２は、図１に示す作業者７０ａ等の存在を検知している旨の情報を、図２に示す検知部２１から受け取り、積算装置４０に通知する。
【００５１】
＜入力検知装置３０の構成＞
図２に示すように、入力検知装置３０は、主として検知部３１と通知部３２とを備える。
検知部３１は、入力作業の情報を入力部１１から受け取り、コンピュータ１０の入力部１１への入力作業の存在と、入力作業の作業内容とを、検知する。通知部３２は、入力作業の存在を検知している旨の情報と、作業内容の情報とを、検知部３１から受け取り、積算装置４０に通知する。
【００５２】
＜積算装置４０の構成＞
図２に示すように、積算装置４０は、主として第１受取部４１と第２受取部４２と積算部４３とデータベース４４とを備える。
第１受取部４１は、図１に示す作業者７０ａ等の存在を検知している旨の情報を図２に示すＣＣＤカメラ２０から受け取る。第２受取部４２は、入力作業の存在を検知している旨の情報と作業内容の情報とを入力検知装置３０から受け取る。積算部４３は、図１に示す作業者７０ａ等の存在を検知している旨の情報を図２に示す第１受取部４１から受け取り、入力作業の存在を検知している旨の情報と作業内容の情報とを第２受取部４２から受け取る。積算部４３は、入力作業の存在を検知している旨の情報を第１受取部が受け取っていると同時に、入力作業の存在を検知している旨の情報を第２受取部が受け取っている時間を、図１に示す作業者７０ａ等の入力作業の１日における累積時間及び作業者７０ａ等の入力作業の連続時間として、作業者７０ａ等ごとに積算する。図２に示す積算部４３は、連続時間を第１所定時間（５分）以上連続して積算しない場合、連続時間をリセットする。積算部４３は、累積時間を第１所定時間（５分）以上連続して積算しない場合、累積時間を第１所定時間（５分）だけ減らす。積算部４３は、図５に示すデータベース４４を参照し、累積時間が第２所定時間以上であるか判断し、連続時間が第２所定時間以上であるか判断する。累積時間が第２所定時間以上であるか又は連続時間が第２所定時間以上である場合、図２に示す積算部４３は、報知命令をパーソナル空調機５０へ受け渡す。
【００５３】
＜パーソナル空調機５０の構成＞
図２に示すように、パーソナル空調機５０は、主として受取部５１と報知部５２とを備える。
受取部５１は、積算装置４０から報知命令を受け取り、報知部５２へ報知命令を受け渡す。報知部５２は、報知命令に基づき、報知を行う。
【００５４】
＜報知部５２の構成＞
図１に示すように、報知部５２は、主として圧縮機５２１、凝縮器５２２、蒸発器５２３、クロスフローファン５２４、プロペラファン５２５、吹き出し口５２６及び吸い込み口５２８を備える。このうち、圧縮機５２１、凝縮器５２２、蒸発器５２３、クロスフローファン５２４及びプロペラファン５２５は、パーソナル空調機５０の背面にある箱体５２７の中に内蔵される。吹き出し口５２６は、パーソナル空調機５０の前面パネルに設けられる。吸い込み口５２８は、パーソナル空調機５０の背面パネルに設けられる。吸い込み口５２８、圧縮機５２１、凝縮器５２２及び蒸発器５２３を利用して生成された調和空気は、クロスフローファン５２４によって吹き出し口５２６を介して、コンピュータ１０付近の空間６０に供給される。
【００５５】
＜データベース４４の構成＞
図５に示すように、データベース４４は、主として作業区分欄４４１と作業の種類欄４４２と累積時間の第２所定時間欄４４３と連続時間の第２所定時間欄４４４とを備える。
図２に示す入力検知装置３０の検知部３１が検知した作業内容の情報から、図５に示す作業区分欄４４１と作業の種類欄４４２との情報が特定される。これにより、累積時間の第２所定時間欄４４３から累積時間の第２所定時間が特定され、連続時間の第２所定時間欄４４４から連続時間の第２所定時間が特定される。
【００５６】
＜コンピュータ１０の表示部１２を用いて複数の作業者７０ａ，７０ｂ，・・・が行う作業を作業管理システム１が管理する処理の流れ＞
図２に示すコンピュータ１０の表示部１２を用いて図１に示す複数の作業者７０ａ，７０ｂ，・・・が行う作業を作業管理システム１が管理する処理の流れを、図３，図４に示すフローチャートを用いて説明する。
【００５７】
図３に示すステップＳ１（図３で示す（１））では、図２に示すコンピュータ１０の入力部１１への作業者７０ａ等による入力作業が行われる。すなわち、図１に示す入力部１１において、作業者により入力作業が行われる。制御部１３により、入力作業の情報が入力部１１から受け取られ、処理が行われる。
図３に示すステップＳ２では、図１に示す作業者７０ａ等が検知される。すなわち、図２に示すＣＣＤカメラ２０の検知部２１により、図１に示す作業者７０ａ等の網膜パターンが認識され、作業者７０ａ等の存在が、別の作業者７０ａ等と区別して検知される。図２に示す通知部２２により、図１に示す作業者７０ａ等の存在を検知している旨の情報が、図２に示す検知部２１から受け取られ、積算装置４０に通知される。積算装置４０の第１受取部４１により、作業者７０ａ等の存在を検知している旨の情報がＣＣＤカメラ２０から受け取られる。積算部４３により、作業者７０ａ等の存在を検知している旨の情報が第１受取部４１から受け取られる。
【００５８】
図３に示すステップＳ３では、図２に示すコンピュータ１０の入力部１１への入力作業が検知される。すなわち、入力検知装置３０の検知部３１により、入力作業の情報が入力部１１から受け取られ、コンピュータ１０の入力部１１への入力作業の存在と、入力作業の作業内容とが、検知される。通知部３２により、入力作業の存在を検知している旨の情報と、作業内容の情報とが、検知部３１から受け取られ、積算装置４０に通知される。積算装置４０の第２受取部４２により、入力作業の存在を検知している旨の情報と作業内容の情報とが入力検知装置３０から受け取られる。積算部４３により、入力作業の存在を検知している旨の情報と作業内容の情報とが、第２受取部４２から受け取られる。
【００５９】
図３に示すステップＳ４では、図１に示す作業者７０ａ等の存在と入力作業の存在とが同時に検知されているか否かが判断される。同時に検知されている、すなわち図２に示す積算部４３により、図１に示す作業者７０ａ等の存在を検知している旨の情報と入力作業の存在を検知している旨の情報とが、同時に受け取られていると判断される場合、図４に示すステップＳ５及びステップＳ９（図３，図４で示す（２））へ進められる。同時に検知されていない、すなわち図２に示す積算部４３により、図１に示す作業者７０ａ等の存在を検知している旨の情報と入力作業の存在を検知している旨の情報とが、同時に受け取られていないと判断される場合、図３に示すステップＳ１（図３で示す（１））へ進められる。
【００６０】
図４に示すステップＳ５では、図１に示す作業者７０ａ等の入力作業の１日における累積時間が積算される。すなわち、図２に示す積算部４３により、入力作業の存在を検知している旨の情報を第１受取部４１が受け取っていると同時に、入力作業の存在を検知している旨の情報を第２受取部４２が受け取っている時間が、図１に示す作業者７０ａ等の入力作業の１日における累積時間として、作業者７０ａ等ごとに積算される。
【００６１】
図４に示すステップＳ６では、累積時間が第１所定時間（５分）以上連続して積算されていないか否かが判断される。累積時間が第１所定時間（５分）以上連続して積算されていないと判断される場合、ステップＳ７へ進められる。累積時間が第１所定時間（５分）以上連続して積算されていないことはないと判断される場合、ステップＳ８へ進められる。
【００６２】
図４に示すステップＳ７では、累積時間が第１所定時間（５分）だけ減らされる。すなわち、図２に示す積算部４３により、累積時間が第１所定時間（５分）だけ減らされる（図４，図３で示す（１））。
図４に示すステップＳ８では、累積時間が第２所定時間以上であるか否かが判断される。累積時間が第２所定時間以上である、すなわち図２に示す積算部４３により、図５に示すデータベース４４が参照され、累積時間が第２所定時間以上であると判断された場合、図４に示すステップＳ１３へ進められる。累積時間が第２所定時間以上でない、すなわち図２に示す積算部４３により、図５に示すデータベース４４が参照され、累積時間が第２所定時間以上でないと判断された場合、図３に示すステップＳ１（図４，図３で示す（１））へ進められる。
【００６３】
図４に示すステップＳ９では、図１に示す作業者７０ａ等の入力作業の連続時間が積算される。すなわち、図２に示す積算部４３により、入力作業の存在を検知している旨の情報を第１受取部４１が受け取っていると同時に、入力作業の存在を検知している旨の情報を第２受取部４２が受け取っている時間が、図１に示す作業者７０ａ等の入力作業の連続時間として、作業者７０ａ等ごとに積算される。
【００６４】
図４に示すステップＳ１０では、連続時間が第１所定時間（５分）以上連続して積算されていないか否かが判断される。連続時間が第１所定時間（５分）以上連続して積算されていないと判断される場合、ステップＳ１１へ進められる。連続時間が第１所定時間（５分）以上連続して積算されていないことはないと判断される場合、ステップＳ１２へ進められる。
【００６５】
図４に示すステップＳ１１では、連続時間がリセットされる。すなわち、図２に示す積算部４３により、連続時間がリセットされる（図４，図３で示す（１））。
図４に示すステップＳ１２では、連続時間が第２所定時間以上であるか否かが判断される。連続時間が第２所定時間以上である、すなわち図２に示す積算部４３により、図５に示すデータベース４４が参照され、連続時間が第２所定時間以上であると判断された場合、図４に示すステップＳ１３へ進められる。連続時間が第２所定時間以上でない、すなわち図２に示す積算部４３により、図５に示すデータベース４４が参照され、連続時間が第２所定時間以上でないと判断された場合、図３に示すステップＳ１（図４，図３で示す（１））へ進められる。
【００６６】
図４に示すステップＳ１３では、報知が行われる。すなわち、図２に示す積算部４３により、報知命令がパーソナル空調機５０へ受け渡される。パーソナル空調機５０の受取部５１により、積算装置４０から報知命令が受け取られ、報知部５２へ報知命令が受け渡される。報知部５２により、報知命令に基づき、報知が行われる。具体的には、図１に示すコンピュータ１０付近の空間６０に供給される調和空気の温度が、上げられる。
【００６７】
＜作業管理システム１に関する特徴＞
（１）
ここでは、図２に示す作業者検知装置３０が、図１に示す作業者７０ａ等の存在を、別の作業者７０ａ等と区別して検知する。図２に示す入力検知装置３０が、コンピュータ１０の入力部１１への入力作業の存在を検知する。ＣＣＤカメラ２０が、図１に示す作業者７０ａ等の存在を検知している旨の情報を、図２に示す積算装置４０に通知する。入力検知装置３０が、入力作業の存在を検知している旨の情報を、積算装置４０に通知する。積算装置４０が、作業者７０ａ等の存在をＣＣＤカメラ２０が検知していると同時に、入力作業の存在を入力検知装置３０が検知している時間を、図１に示す作業者７０ａ等ごとに積算する。
【００６８】
したがって、作業者７０ａ等を別の作業者７０ａ等と区別して検知すると同時に図２に示す入力部１１への入力作業の存在を検知している時間を積算するので、コンピュータ１０の表示部１２を用いた入力作業の時間が図１に示す作業者７０ａ等ごとに管理される。
（２）
ここでは、図２に示す積算装置４０が積算する時間は、入力部１１への図１に示す作業者７０ａ等による入力作業の連続時間と、図２に示す入力部１１への図１に示す作業者７０ａ等による入力作業の１日における累積時間とを、含む。図２に示す積算装置４０が、図１に示す作業者７０ａ等の存在を図２に示すＣＣＤカメラ２０が検知していると同時に、入力部１１への入力作業の存在を入力検知装置３０が検知している時間を、図１に示す作業者７０ａ等ごとに積算する。図２に示す積算装置４０が、入力部１１への図１に示す作業者７０ａ等による入力作業の連続時間と、図２に示す入力部１１への図１に示す作業者７０ａ等による入力作業の１日における累積時間とを、別々に積算する。
【００６９】
したがって、連続時間と累積時間とを別々に積算するので、図５に示すように連続時間と累積時間とで第２所定時間が異なる場合に、両者がそれぞれ管理される。
（３）
ここでは、図２に示す積算装置４０が積算する時間は、入力部１１への図１に示す作業者７０ａ等による入力作業の連続時間と、図２に示す入力部１１への図１に示す作業者７０ａ等による入力作業の１日における累積時間とを、含む。図２に示す積算装置４０が、図１に示す作業者７０ａ等の存在を図２に示すＣＣＤカメラ２０が検知していると同時に、入力部１１への入力作業の存在を入力検知装置３０が検知している時間を、図１に示す作業者７０ａ等ごとに積算する。図２に示す積算装置４０が、入力部１１への図１に示す作業者７０ａ等による入力作業の連続時間と、図２に示す入力部１１への図１に示す作業者７０ａ等による入力作業の累積時間とを、別々に積算する。図２に示す積算装置４０が、連続時間を第１所定時間（５分）以上連続して積算しない場合、連続時間をリセットする。積算装置４０が、累積時間を第１所定時間（５分）以上連続して積算しない場合、累積時間を第１所定時間（５分）だけ減らす。
【００７０】
したがって、入力作業が第１所定時間（５分）以上連続して中断された場合に連続時間をリセットするので、連続していない時間を連続時間として積算することが低減される。また、入力作業が第１所定時間（５分）以上連続して中断された場合に累積時間を第１所定時間（５分）だけ減らすので、作業を行っていない時間を累積時間として積算することが低減される。このため、コンピュータ１０の表示部１２を用いて行われている入力作業の時間が正確に管理される。
【００７１】
（４）
ここでは、図２に示すＣＣＤカメラ２０が、図１に示す作業者７０ａ等の存在を、別の作業者７０ａ等と区別して検知する。図２に示す入力検知装置３０が、コンピュータ１０の入力部１１への入力作業の存在と、入力作業の作業内容とを、検知する。作業者検知装置３０が、図１に示す作業者７０ａ等の存在を検知している旨の情報を、図２に示す積算装置４０に通知する。入力検知装置３０が、入力作業の存在を検知している旨の情報と、入力作業の作業内容の情報とを、積算装置４０に通知する。積算装置４０が、図１に示す作業者７０ａ等の存在を図２に示すＣＣＤカメラ２０が検知していると同時に、入力部１１への入力作業の存在を入力検知装置３０が検知している時間を、図１に示す作業者７０ａ等ごとに積算する。
【００７２】
したがって、図５に示すように作業内容すなわち作業区分と作業の種類とにより第２所定時間が異なる場合に、図２に示すコンピュータ１０の表示部１２を用いて行われている入力作業の時間が作業内容に応じて管理される。
（５）
ここでは、図２に示すＣＣＤカメラ２０が、図１に示す作業者７０ａ等の網膜パターンを認識することにより、作業者７０ａ等の存在を、別の作業者７０ａ等と区別して検知する。図２に示す入力検知装置３０が、コンピュータ１０の入力部１１への入力作業の存在を、検知する。図１に示す作業者７０ａ等を別の作業者７０ａ等と区別して検知するとともに入力作業の存在を検知するので、作業者７０ａ等が存在していると同時に入力作業が存在している時間が、作業者ごとに積算することが可能となる。
【００７３】
したがって、パスワードによる管理を行わなくても、図２に示すコンピュータ１０の表示部１１を用いた入力作業の時間が図１に示す作業者７０ａ等ごとに管理される。また、パスワードが盗まれた場合でも、図２に示すコンピュータ１０の表示部１１を用いた入力作業の時間が図１に示す作業者７０ａ等ごとに管理される。さらに、複数の作業者７０ａ等で共通のパスワードを使用しているような場合でも、図２に示すコンピュータ１０の表示部１１を用いた入力作業の時間が図１に示す作業者７０ａ等ごとに管理される。
【００７４】
（６）
ここでは、図２に示す積算装置４０が、図１に示す作業者７０ａ等の存在を図２に示すＣＣＤカメラ２０が検知していると同時に、入力部１１への入力作業の存在を入力検知装置３０が検知している時間を、図１に示す作業者７０ａ等ごとに積算する。図２に示す積算装置４０が、積算した時間をパーソナル空調機５０に受け渡すことができる。パーソナル空調機５０が、積算装置４０が積算した時間が第２所定時間を超えた場合に報知を行う。
【００７５】
したがって、パーソナル空調機５０が報知を行うので、積算装置４０が積算した時間が第２所定時間を超えた場合に、図１に示す作業者７０ａ等に休憩が促される。
（７）
ここでは、図２に示すパーソナル空調機５０が、積算装置４０が積算した時間が第２所定時間を超えた場合に報知を行う。パーソナル空調機５０が、連続時間と累積時間とのそれぞれについて報知を行う。
【００７６】
したがって、図５に示すように、連続時間と累積時間とで第２所定時間が異なる場合でも、それぞれ報知することができる。このため、連続時間と累積時間とで第２所定時間が異なる場合でも、両者がそれぞれ管理される。
（８）
ここでは、図２に示すパーソナル空調機５０が、積算装置４０が積算した時間が第２所定時間を超えた場合に報知を行う。パーソナル空調機５０が、コンピュータ１０付近の空間６０における温度を変えるように調和空気を提供することにより、報知を行う。
【００７７】
したがって、コンピュータ１０の表示部１１を用いて作業を行っている図１に示す作業者７０ａ等に、図２に示すパーソナル空調機５０による報知が、作業を中断させることなく認識される。
＜第１実施形態の変形例＞
（Ａ）作業内容は、例えば、作業区分（以下、厚生労働省労働基準局から平成１４年４月５日に発表された「新しい『ＶＤＴ作業における労働衛生管理のためのガイドライン』」に定める作業区分を示す。）Ａの単純入力型作業、作業区分Ａの拘束型作業、作業区分Ｂの単純入力型作業、作業区分Ｂの拘束型作業、作業区分Ｂの対話型作業、作業区分Ｂの技術型作業、作業区分Ｂの監視型作業、作業区分Ｂのその他の型作業、作業区分Ｃの単純入力型作業、作業区分Ｃの拘束型作業、作業区分Ｃの対話型作業、作業区分Ｃの技術型作業、作業区分Ｃの監視型作業及び作業区分Ｃのその他の型作業の少なくとも１つを含む。
（Ｂ）図４に示すステップＳ１３では、図１に示すパーソナル空調機５０により、コンピュータ１０付近の空間６０に提供する調和空気の温度が上げられたが、温度が下げられてもよいし、風量が上げられてもよいし、風量が下げられてもよいし、調和空気の提供が停止されてもよいし、調和空気の提供が開始されてもよい。あるいは、パーソナル空調機５０により空間６０に提供されるのは、温度の代わりに、湿度でもいいし、気流でもいいし、清浄度でもいい。図１に示す凝縮器５２２は蒸発器であってもいいし、蒸発器５２３は凝縮器であってもいい。この場合、パーソナル空調機５０により、冷房でなく暖房が行われるが、コンピュータ１０付近の空間６０に提供する環境を変えることにより、報知が行われる。あるいは、パーソナル空調機５０は、コンピュータ１０付近の空間６０を加湿してもいいし、除湿してもいい。
（Ｃ）図２に示すＣＣＤカメラ２０は、作業者７０ａ等の網膜パターンのかわりに、作業者７０ａ等の指紋、声紋、掌紋又は虹彩の模様を認識する検出装置であってもよい。この場合でも、作業者７０ａ等と別の作業者７０ａ等とが区別される。
（Ｄ）図２に示す入力検知装置３０は、作業者７０ａ等の作業内容を検知しなくてもよい。この場合、積算装置４０の積算部４３の処理が簡略化され、データベース４４の記憶内容において作業区分欄４４１と作業の種類欄４４２とが省略されることになる。このため、積算装置４０が低コストで製造される。
（Ｅ）積算装置４０からパーソナル空調機５０に渡す情報は、報知命令でなくてもよい。すなわち、連続時間や累積時間の情報であってもよい。この場合、図４に示すステップＳ８やステップＳ１２の判断が、積算装置４０でなくパーソナル空調機５０において行われることになる。図２に示す積算装置４０で積算される累積時間は、１日における累積時間でなくてもよい。すなわち、１日より短い時間内における累積時間であってもいいし、１日より長い時間内における累積時間であってもいい。
（Ｇ）図１に示すパーソナル空調機５０は、デスク型でなくてもよい。キオスク型でもいいし、卓上設置型でもよい。図２に示す入力検知装置３０は、コンピュータ１０が備えておらずに、コンピュータ１０の外部に接続されていてもよい。
【００７８】
［第２実施形態］
本発明の第２実施形態に係る作業管理システム１００を図６に示す。また、作業管理システム１００の各構成要素の構成図を図７に示す。図６，図７において、図１，図２の作業管理システム１の構成要素と同様の構成要素は同じ番号で示してある。図６，図７に示す作業管理システム１００は、主としてコンピュータ１１０の表示部１２を用いて複数の作業者７０ａ等が行う作業を管理するためのシステムである。
【００７９】
この作業管理システム１００は、図６，図７に示すように、基本的な構造は第１実施形態と同様であるが、図１，図２に示すＣＣＤカメラ２０の代わりに図７に示す指紋検知装置１２０が備えられ、図１，図２に示すパーソナル空調機５０の代わりに図６，図７に示す普通のデスク１８０と照明装置１５０とが備えられている点で構成が異なる。すなわち図７に示すように、指紋検知装置１２０の検知部１２１が、入力部１１を介して、図６に示す作業者７０ａ等の指紋を認識することにより、作業者７０ａ等の存在を、別の作業者７０ａ等と区別して検知する。図７に示す照明装置１５０の受取部５１が、積算装置１４０の積算部１４３が積算した時間が第２所定時間を超えた場合に、積算装置１４０の積算部１４３から報知命令を受け取る。照明装置１５０の報知部１５２が、報知命令に基づき、コンピュータ１１０付近の照明の状態を変えることにより、報知を行う。これらの点で、第１実施形態と異なる。
【００８０】
図６に示す作業者７０ａ等を別の作業者７０ａ等と区別して検知すると同時に図７に示す入力部１１への入力作業の存在を検知している時間を積算する点は、第１実施形態と同様である。したがって、このような作業管理システム１００によっても、コンピュータ１１０の表示部１２を用いた入力作業の時間が図６に示す作業者７０ａ等ごとに管理される。
【００８１】
＜第２実施形態の変形例＞
（Ａ）照明の状態を変えることは、照明の明るさを暗くすることであってもいいし、照明の明るさを明るくすることであってもいいし、照明の色を変えることであってもいいし、照明の向きを変えることであってもいいし、照明を点滅させることであってもいいし、照明を消すことであってもいいし、照明を点灯させることであってもいい。
（Ｂ）図７に示す指紋検知装置１２０は、図６に示す作業者７０ａ等の指紋のかわりに、作業者７０ａ等の声紋、掌紋、網膜パターン又は虹彩の模様を認識する検出装置であってもよい。この場合でも、作業者７０ａ等と別の作業者７０ａ等とが区別される。
（Ｃ）図６に示す作業管理システム１００は、普通のデスク１８０の代わりに、図１に示すようなパーソナル空調機５０を備えてもよい。この場合、照明装置１５０による報知とパーソナル空調機５０による報知とが同時に行われることになる。
【００８２】
［第３実施形態］
本発明の第３実施形態に係る作業管理システム２００を図８に示す。また、作業管理システム２００の各構成要素の構成図を図９に示す。図８，図９において、図１，図２の作業管理システム１の構成要素と同様の構成要素は同じ番号で示してある。図８，図９に示す作業管理システム２００は、主としてコンピュータ１０の表示部１２を用いて複数の作業者７０ａ等が行う作業を管理するためのシステムである。
【００８３】
この作業管理システム２００は、図８，図９に示すように、基本的な構造は第１実施形態と同様であるが、図１，図２に示すＣＣＤカメラ２０の代わりに図８，図９に示す声紋検知装置２２０が備えられ、図１，図２に示すパーソナル空調機５０の代わりに図８，図９に示す普通のデスク１８０と警報装置２５０とが備えられている点で構成が異なる。すなわち、図８，図９に示すように、声紋検知装置２２０の検知部２２１が、作業者７０ａ等の声紋を認識することにより、作業者７０ａ等の存在を、別の作業者７０ａ等と区別して検知する。警報装置２５０の受取部５１が、積算装置２４０の積算部２４３が積算した時間が第２所定時間を超えた場合に、積算装置２４０の積算部２４３から報知命令を受け取る。警報装置２５０の報知部２５２が、報知命令に基づき、警報を出すことにより、報知を行う。これらの点で、第１実施形態と異なる。
【００８４】
図８に示す作業者７０ａ等を別の作業者７０ａ等と区別して検知すると同時に入力部１１への入力作業の存在を検知している時間を積算する点は、第１実施形態と同様である。したがって、このような作業管理システム２００によっても、図９に示すコンピュータ１０の表示部１２を用いた入力作業の時間が図８に示す作業者７０ａ等ごとに管理される。
＜第３実施形態の変形例＞
（Ａ）図８，図９に示す警報装置２５０が出す警報は、静かなものが望ましいが、作業を中断させることにならなければある程度うるさいものであってもよい。
（Ｂ）図９に示す声紋検知装置２２０は、図８に示す作業者７０ａ等の声紋のかわりに、作業者７０ａ等の指紋、掌紋、網膜パターン又は虹彩の模様を認識する検出装置であってもよい。この場合でも、図８に示す作業者７０ａ等と別の作業者７０ａ等とが区別される。
【００８５】
［第４実施形態］
本発明の第４実施形態に係る作業管理システム３００を図１０に示す。また、作業管理システム３００の各構成要素の構成図を図１１に示す。図１０，図１１において、図１，図２の作業管理システム１の構成要素と同様の構成要素は同じ番号で示してある。ここに示す作業管理システム３００は、主としてコンピュータ３１０の表示部１２を用いて複数の作業者７０ａ等が行う作業を管理するためのシステムである。
【００８６】
この作業管理システム３００は、図１０，図１１に示すように、基本的な構造は第１実施形態と同様であるが、図１，図２に示すパーソナル空調機５０の代わりに図１０，図１１に示す普通のデスク１８０と報知装置３５０とが備えられている点で構成が異なる。すなわち、図１１に示すように、報知装置３５０の受取部５１が、積算装置３４０の積算部３４３が積算した時間が第２所定時間を超えた場合に、積算装置３４０の積算部３４３から報知命令を受け取る。報知装置３５０の報知部３５２が、報知命令に基づき、コンピュータ３１０の表示部１２にメッセージを表示することにより、報知を行う。これらの点で、第１実施形態と異なる。
【００８７】
図１０に示す作業者７０ａ等を別の作業者７０ａ等と区別して検知すると同時に入力作業の存在を検知している時間を積算する点は、第１実施形態と同様である。したがって、このような作業管理システム３００によっても、図１１に示すコンピュータ３１０の表示部１２を用いた入力作業の時間が作業者７０ａ等ごとに管理される。
＜第４実施形態の変形例＞
（Ａ）図１１に示す報知装置３５０が表示するメッセージは、コンピュータ３１０の表示部１２において隅の所に表示されるなど図１０に示す作業者７０ａ等の作業を中断させないようなものであることが望ましい。報知装置３５０が表示するメッセージは、疲労度を直接示すものでもいいし、休憩を促すものでもいい。
【産業上の利用可能性】
【００８８】
本発明にかかる作業管理システム、作業者検知装置、入力検知装置、積算装置、報知装置、エリア別環境提供装置及び作業管理方法は、表示機器の表示部を用いた入力作業の時間を作業者ごとに管理することができるという効果を有し、作業管理システム、作業者検知装置、入力検知装置、積算装置、報知装置、エリア別環境提供装置及び作業管理方法等として有用である。
【図面の簡単な説明】
【００８９】
【図１】本発明の第１実施形態による作業管理システムの概念図。
【図２】本発明の第１実施形態による作業管理システムの構成図。
【図３】コンピュータの表示部を用いて複数の作業者が行う作業を作業管理システムが管理する処理の流れを示すフローチャート。
【図４】コンピュータの表示部を用いて複数の作業者が行う作業を作業管理システムが管理する処理の流れを示すフローチャート。
【図５】本発明の第１実施形態によるデータベースの概念図。
【図６】本発明の第２実施形態による作業管理システムの概念図。
【図７】本発明の第２実施形態による作業管理システムの構成図。
【図８】本発明の第３実施形態による作業管理システムの概念図。
【図９】本発明の第３実施形態による作業管理システムの構成図。
【図１０】本発明の第４実施形態による作業管理システムの概念図。
【図１１】本発明の第４実施形態による作業管理システムの構成図。
【符号の説明】
【００９０】
１，１００，２００，３００  作業管理システム
１０，１１０，３１０  コンピュータ
２０  ＣＣＤカメラ
３０  入力検知装置
４０，１４０，２４０，３４０  積算装置
５０  パーソナル空調機
６０  空間
７０ａ，７０ｂ，・・・  作業者
１２０  指紋検知装置
１５０  照明装置
２２０  声紋検知装置
２５０  警報装置
３５０  報知装置
【図１】
2005071169.tif 000003
【図２】
2005071169.tif 000004
【図３】
2005071169.tif 000005
【図４】
2005071169.tif 000006
【図５】
2005071169.tif 000007
【図６】
2005071169.tif 000008
【図７】
2005071169.tif 000009
【図８】
2005071169.tif 000010
【図９】
2005071169.tif 000011
【図１０】
2005071169.tif 000012
【図１１】
2005071169.tif 000013